(57)【特許請求の範囲】
【請求項１】
商用電源からの交流電圧を直流電圧へ変換させる電源部を本体内部に備え、電気機器本体へ電力を供給するＡＣアダプタ装置であって、前記商用電源からのＡＣ線を機械的に止め付けるとともに前記電源部と電気的に接続する接続部と、前記商用電源からのＡＣ線に接続されたコンセントの雌端子に接触させて前記電源部と電気的に導通する雄端子を前記本体内部に収納可能に突設するプラグ部とを備えたことを特徴とするＡＣアダプタ装置。
【請求項２】
前記接続部は、ＡＣ線を孔に挿入して機械的に止め付けるとともに前記電源部と電気的に接続するＡＣ連結端子を有する連結部で構成され、前記連結部と前記プラグ部とのいずれか一方を前記本体外部へ選択的に露出させる切換え機構を備えたことを特徴とする請求項１に記載のＡＣアダプタ装置。
【請求項３】
前記切換え機構は、前記本体に設けた操作部と、この操作部の回転操作でシーソー動作するアーム部材と、このアーム部材のシーソー動作に連動して前記連結部及び前記プラグ部を前記本体内部から進退させる収納室と、前記連結部及び前記プラグ部のいずれか一方が本体内部の前記収納室から前進して本体外部へ突出したときにのみその突出した端子の一部と電気的に接触して電源部と導通する接触子とを備えたことを特徴とする請求項２に記載のＡＣアダプタ装置。
【請求項４】
前記切換え機構は、前記連結部及び前記プラグ部が搭載され前記本体のステージ面に沿って回動可能な回転部材と、この回転部材が特定位置まで回動移動すると、前記連結部が本体内から露出して前記ＡＣ連結端子が電気的に接触し前記電源部と導通する接触子と、この回転部材が前記特定位置とは別の位置まで回動移動すると、前記プラグ部が本体内から露出して前記雄端子と電気的に接触し前記電源部と導通する別の接触子とを備えたことを特徴とする請求項２に記載のＡＣアダプタ装置。
【請求項５】
前記接続部は、ＡＣ線をねじに巻きつけて機械的に止め付けるとともに前記電源部と電気的に接続するＡＣねじ端子を有し、前記プラグ部は、前記雄端子を前記本体内部に折畳んで収納し、前記ＡＣねじ端子と収納した前記雄端子を隠蔽する蓋部材を備えたことを特徴とする請求項１記載のＡＣアダプタ装置。
【請求項６】
前記接続部は、ＡＣ線を孔に挿入して機械的に止め付けるとともに前記電源部と電気的に接続するＡＣ連結端子を有する連結部で構成され、前記プラグ部は、前記雄端子を前記本体内部に折畳んで収納し、前記ＡＣ連結端子と収納した前記雄端子を隠蔽する蓋部材を備えたことを特徴とする請求項１記載のＡＣアダプタ装置。
【発明の詳細な説明】
【０００１】
【発明の属する技術分野】
この発明は、商用電源からの交流電圧を直流電圧へ変換させる電源部を本体内部に備え、電気機器本体へ電力を供給するＡＣアダプタ装置に関するものである。
【０００２】
【従来の技術】
電気機器には、商用電源からの交流電圧を直流電圧に変換させる電源部を電気機器の本体内部に備えたものと、電気機器の本体内部には電源部を備えずに、商用電源を変圧するＡＣアダプタ装置とコードを介して接続され、電源が供給されるものとが存在する。
【０００３】
電源部を本体内部に備えている電気機器としては、例えば室内に取付けられるドアホンの親機などがある。このドアホンの親機のような住宅設備用の電気機器では、直接、室内配線を電気機器本体のＡＣ連結端子に接続させる構造であり、室内配線が外部から見えないようになっている（ＡＣ直結方式）。
一方、ＡＣアダプタ装置を介して電源が供給される電気機器においては、ＡＣアダプタ装置が、通常、このＡＣアダプタ装置の本体から雄端子が突出したプラグを有しており、この雄端子をコンセントに差し込んで外部からの給電を行うようになっている（ＡＣコンセント方式）。
【０００４】
【発明が解決しようとする課題】
このように、使用する電気機器の種類や用途に応じて、ＡＣアダプタの構造も大きくことなっており、使用する電気機器に合わせてそれにあった構造のＡＣアダプタが必要である。
【０００５】
このような事情から、各種の電気機器に対して１種類のもので、換言すれば、ＡＣ直結方式とＡＣコンセント方式の双方に対応することができるＡＣアダプタの開発が要望されている。
【０００６】
そこで、この発明は、上記した事情に鑑み、１種類のもので、ＡＣ直結方式とＡＣコンセント方式の双方に対応することができるＡＣアダプタ装置を提供することを目的とするものである。
【０００７】
【課題を解決するための手段】
この発明は、第１に、商用電源からの交流電圧を直流電圧へ変換させる電源部を本体内部に備え、電気機器本体へ電力を供給するＡＣアダプタ装置であって、前記商用電源からのＡＣ線を機械的に止め付けるとともに前記電源部と電気的に接続する接続部と、前記商用電源からのＡＣ線に接続されたコンセントの雌端子に接触させて前記電源部と電気的に導通する雄端子を前記本体内部に収納可能に突設するプラグ部とを備えたことを特徴としている。
【０００８】
これにより、１種類のＡＣアダプタ装置で、ＡＣ直結方式とＡＣコンセント方式の双方に対応することができる。
【０００９】
また、第２に、前記接続部は、ＡＣ線を孔に挿入して機械的に止め付けるとともに前記電源部と電気的に接続するＡＣ連結端子を有する連結部で構成され、前記連結部と前記プラグ部とのいずれか一方を前記本体外部へ選択的に露出させる切換え機構を備えたことを特徴としている。
【００１０】
この切換え機構での切換えにより、ＡＣ直結方式とＡＣコンセント方式のいずれかを一方を自由に選択して接続させることができる。
【００１１】
また、第３に、前記切換え機構は、前記本体に設けた操作部と、この操作部の回転操作でシーソー動作するアーム部材と、このアーム部材のシーソー動作に連動して前記連結部及び前記プラグ部を前記本体内部から進退させる収納室と、前記連結部及び前記プラグ部のいずれか一方が本体内部の前記収納室から前進して本体外部へ突出したときにのみその突出した端子の一部と電気的に接触して前記電源部と導通する接触子とを備えてもよい。
【００１２】
これにより、簡単な操作でＡＣ直結方式とＡＣコンセント方式を簡単に切換えることができる。
【００１３】
また、第４に、前記切換え機構は、前記連結部及び前記プラグ部が搭載され前記本体のステージ面に沿って回動可能な回転部材と、この回転部材が特定位置まで回動移動すると、前記連結部が本体内から露出して前記ＡＣ連結端子が電気的に接触し前記電源部と導通する接触子と、この回転部材が前記特定位置とは別の位置まで回動移動すると、前記プラグ部が本体内から露出して前記雄端子と電気的に接触し前記電源部と導通する別の接触子とを備えてもよい。
【００１４】
同様に、簡単な操作でＡＣ直結方式とＡＣコンセント方式を簡単に切換えることができる。
また、第５に、前記接続部は、ＡＣ線をねじに巻きつけて機械的に止め付けるとともに前記電源部と電気的に接続するＡＣねじ端子を有し、前記プラグ部は、前記雄端子を前記本体内部に折畳んで収納し、前記ＡＣねじ端子と収納した前記雄端子を隠蔽する蓋部材を備えたことを特徴としている。
これにより、ショートや感電事故を防止でき、１種類のＡＣアダプタ装置で、ＡＣ直結方式とＡＣコンセント方式の双方に対応することができる。
また、第６に、前記接続部は、ＡＣ線を孔に挿入して機械的に止め付けるとともに前記電源部と電気的に接続するＡＣ連結端子を有する連結部で構成され、前記プラグ部は、前記雄端子を前記本体内部に折畳んで収納し、前記ＡＣ連結端子と収納した前記雄端子を隠蔽する蓋部材を備えたことを特徴としている。
これにより、ＡＣ連結端子で簡単にＡＣ線を接続可能で、ショートや感電事故を防止でき、ＡＣ直結方式とＡＣコンセント方式の双方に対応することができる。
【００１５】
【発明の実施の形態】
以下、この発明に係る実施の形態について、添付図面を参照しながら詳細に説明する。
［第１の実施形態］
図１は、この発明の第１の実施形態に係るＡＣアダプタ装置を示すものであり、このＡＣアダプタ装置１は、本体１０に、電源部１１と、接続部１２と、プラグ部１３とを備えている。
【００１６】
電源部１１は、商用電源Ａからの交流電圧を直流電圧へ変圧させ図示外の電気機器へ専用配線Ｌ２を介して給電するものであり、本体１０内部に備えている。
【００１７】
接続部１２は、商用電源Ａから室内に配線されたＡＣ線Ｌ１（以下、これを室内配線とよぶ）の先端をねじ１２Ａ（図３参照）に巻き付けて機械的に止め付けるとともに電源部１１と電気的に接続するＡＣねじ端子１２Ｂを設けている。
なお、この接続部１２は、普段、蓋部材１２Ｃ（図２参照）を上からねじ１２Ｄで止め付けて塞ぎ、ショートや感電防止を図っており、この接続部１２を室内配線Ｌ１と接続させるときに蓋部材１２Ｃを取り外すように構成されている。
【００１８】
プラグ部１３は、商用電源Ａから引き出される室内配線Ｌ１の先端と接続された図示外のコンセントの雌端子に接触させて電源部１１と電気的に導通する雄端子１３Ａを本体１０内部に折畳み可能に突設している。なお、この雄端子１３Ａを本体１０に折畳んで収納させるため、図３に示すように、本体１０には収納溝１０Ａを設けている。
【００１９】
次に、この実施形態のＡＣアダプタ装置の使用方法について説明する。
（ａ）ＡＣコンセント方式での使用：
一般の多くの電気機器の場合、通常、あちこちに持ち運んで使用できるようにするため、換言すればコンセントのある室内外での使用のため、図２に示すように、蓋部材１２Ｃでねじ端子１２Ｂのある接続部１２を塞いでこの接続部１２が使用できないようにする。
従って、本体４０から突出するプラグ部１３の雄端子１３Ａをコンセントに差し込めば、電源部１１を介して商用電源Ａを電気機器本体と接続させることができるようになる。
【００２０】
（ｂ）ＡＣ直結方式での使用：
この場合には、図３に示すように、初めに、ねじ１２Ｄをゆるめて蓋部材１２Ｃを取り外し、接続部１２を外部に露出させる。
そして、図４に示すように、プラグ部１３の雄端子１３Ａを本体１０へ折畳んで収納するとともに、室内配線Ｌ１の一端部をＡＣねじ端子１２Ｂに巻き付けて固定する。これにより、電源部１１が商用電源Ａと電気的に接続される。
最後に、図５に示すように、ねじ１２Ｄで蓋部材１２Ｃを再び止め付ける。これにより、接続部１２とプラグ部１３とが蓋部材１２Ｃで隠蔽され、ショートや感電事故を防止できる。
【００２１】
［第２の実施形態］
次に、この発明の第２の実施形態について説明する。なお、この実施形態において、第１の実施形態と同一部分には、同一符号を付して重複説明を避ける。
図６は、この発明の第２の実施形態に係るＡＣアダプタ装置１を示すものであり、このＡＣアダプタ装置１が、第１の実施形態のＡＣアダプタ装置と異なるのは、接続部１２の替わりに連結部１４を備えている点である。
【００２２】
連結部１４は、商用電源Ａからの室内配線Ｌ１の先端を図示外の孔に挿入して機械的に止め付けるとともに電源部１１と電気的に接続するＡＣ連結端子１４Ａを設けている。なお、この連結部１４も第１の実施形態の接続部１２と同様に、普段、蓋部材１２Ｃ（図８参照）を上からねじ１２Ｄで止め付けて塞ぎ、ショートや感電防止を図っており、この連結部１４を室内配線Ｌ１と接続させるときに蓋部材１２Ｃを取り外すように構成されている。
【００２３】
次に、この実施形態のＡＣアダプタ装置の使用方法について説明する。
（ａ）ＡＣコンセント方式での使用：
これについては、第１の実施形態と同じように用いる。
【００２４】
（ｂ）ＡＣ直結方式での使用：
この場合には、第１の実施形態と同じよう、初めに、ねじ１２Ｄ（図２参照）をゆるめて蓋部材１２Ｃを取り外し、連結部１４を外部に露出させる（図７参照）。
そして、図７に示すように、プラグ部１３の雄端子１３Ａを本体１０へ折畳んで収納するとともに、室内配線Ｌ１の端部を図示外の孔に挿入して機械的に止め付け、ＡＣ連結端子１４Ａを商用電源Ａと電気的に接続する。これにより、連結部１４を介して、電源部１１が商用電源Ａと電気的に接続される。
最後に、図８に示すように、ねじ１２Ｄで蓋部材１２Ｃを再び止め付ける。これにより、プラグ部１３と連結部１４とが蓋部材１２Ｃで隠蔽され、ショートや感電事故を防止できる。
【００２５】
［第３の実施形態］
次に、この発明の第３の実施形態について説明する。なお、この実施形態において、第１、第２の実施形態と同一部分には、同一符号を付して重複説明を避ける。
図９は、この発明の第３の実施形態に係るＡＣアダプタ装置２を示すものであり、このＡＣアダプタ装置２が、第２の実施形態のＡＣアダプタ装置１と大きく異なるのは、プラグ部１３と連結部１４とが蓋部材１２Ｃで隠蔽されるのではなく、プラグ部１３と連結部１４とを本体２０の外部へ選択的に突出させる切換え機構３を備え、これらの端子を選択的に外部へ露出させている点である。また、この本体２０には、プラグ部１３と連結部１４を後述するアーム部材３２に連動して本体内部から進退させる収納室２０Ａ、２０Ｂが設けられている。
【００２６】
切換え機構３は、操作部３１と、アーム部材３２と、接触子３４とを備えている。
操作部３１は、本体２０の外部に設けたレバー３１Ａ（図１０参照）を備えており、同図に示すように、水平状態から上方に向けて４５度程度時計方向に回動させると、プラグ部１３の雄端子１３Ａが本体２０から外部へ突出するようになっている。一方、操作部３１のレバーを図１１に示すように、水平状態から上方に向けて４５度程度反時計方向に回動させると、連結部１４のＡＣ連結端子１４Ａが本体２０から外部へ突出するようになっている。
【００２７】
アーム部材３２は、操作部３１のレバー３１Ａによる回動操作で上下にシーソー動作するようになっており、このシーソー動作でプラグ部１３と連結部１４とのいずれか一方を本体２０から外部へ前進・突出させるとともに、プラグ部１３と連結部１４とのいずれか他方を本体２０から内部へ後退・収納させるようになっている。
【００２８】
このため、このアーム部材３２には、中間部が回動軸３２Ａで回動可能にナており、この回動軸３２Ａにはレバー３１Ａが固着されて一体に回動するようになっている。一方、このアーム部材３２の両端部には、スライド溝３２Ｄが穿設されており、このスライド溝３２Ｄにはそれぞれ係合ピン３２Ｂ、３２Ｃが取り付けられている。なお、このアーム材は、適宜の絶縁材料で形成されている。
【００２９】
この係合ピン３２Ｂは、プラグ部１３の雄端子１３Ａに穿設した長孔１３Ｂに係合されている。同様に、係合ピン３２Ｃは、連結部１４のＡＣ連結端子１４Ａに穿設した長孔１４Ｂに係合されている。
【００３０】
接触子３４は、プラグ部１３及び連結部１４のいずれか一方が本体２０の内部の収納室２０Ａ、２０Ｂから前進して本体２０の外部へ突出したときにのみその突出したいずれかの端子の一部と電気的に接触して電源部１１と導通するように構成されている。
【００３１】
この実施形態の接触子３４は、それぞれ導電性の金属で略Ｌ字型に形成され他プラグ用接触子３４Ａ及び連結用接触子３４Ｂで構成されており、本体２０内部の各収納室２０Ａ、２０Ｂに望んで設けたスライド室２０Ｃ、２０Ｄにばね３５を介して設置されている。また、この接触子３４は、先端部分がばね３５による弾性力で各スライド室２０Ｃ、２０Ｄから収納室２０Ａ、２０Ｂに向けて突出しており、本体２０の外部へ前進・突出してきたいずれかの端子に電気的に接触・導通するようになっている。このため、プラグ部１３の雄端子１３Ａには接触溝１３Ｃが、また連結部１４のＡＣ連結端子１４Ａには接触溝１４Ｃが、それぞれ形成されている。なお、それぞれの接触子３４は、専用配線Ｌ３を介して電源部１１と接続されている。
【００３２】
次に、この実施形態のＡＣアダプタ装置の使用方法について説明する。
（ａ）ＡＣコンセント方式での使用：
図１０に示すように、レバー３１Ａを水平状態から上方に向けて４５度程度時計方向に回動させると、図９に示すように、アーム部材３２が同方向に回動傾斜する。
その結果、アーム部材３２の左端部の係合ピン３２Ｂが上方に移動し、この係合ピン３２Ｂが挿入された雄端子１３Ａの長孔１３Ｂの上縁部に当接しながら、この雄端子１３Ａを押し上げていく。そして、雄端子１３Ａが最終位置まで上昇移動したところで、押動子３４Ａが接触溝１３Ｃに入り込み、雄端子１３Ａが固定されるとともに、電気的に電源部１１と接続される。なお、連結部１４は、図１０に示すように、収納室２０Ｂに収納されるとともに電源部１１との間の接続が切れる。
従って、本体２０から突出するプラグ部１３の雄端子１３Ａをコンセントに差し込めば、電源部１１を介して商用電源Ａを電気機器本体と接続させることができるようになる。
【００３３】
（ｂ）ＡＣ直結方式での使用：
この場合には、図１１に示すように、レバー３１Ａを水平状態から上方に向けて４５度程度反時計方向に回動させると、アーム部材３２が同方向に回動傾斜する。
その結果、アーム部材３２の右端部の係合ピン３２Ｃが上方に移動し、この係合ピン３２Ｃが挿入されたＡＣ連結端子１４Ａの長孔１４Ｂの上縁部に当接しながら、このＡＣ連結端子１４Ａを押し上げていく。
そして、最終位置まで移動したところで、押動子３４Ｂが接触溝１４Ｃに入り込み、ＡＣ連結端子１４Ａが固定されるとともに、電源部１１と電気的に接続される。なお、プラグ部１３は、同図に示すように、収納室２０Ａに収納されるとともに、電源部１１との間の接続が切れる。
従って、本体２０から突出する連結部１４のＡＣ連結端子１４Ａに室内配線Ｌ１の端部を差し込めば、電源部１１を介して商用電源Ａを電気機器本体と接続させることができるようになる。
【００３４】
［第４の実施形態］
次に、この発明の第４の実施形態について説明する。なお、この実施形態において、第１、第２の実施形態と同一部分には、同一符号を付して重複説明を避ける。
図１２は、この発明の第４の実施形態に係るＡＣアダプタ装置４を示すものであり、このＡＣアダプタ装置４が、第２の実施形態のＡＣアダプタ装置１と大きく異なるのは、プラグ部１３と連結部１４とが蓋部材１２Ｃで隠蔽されるのではなく、プラグ部１３と連結部１４とを本体４０の外部へ選択的に突出させる切換え機構５を備え、用途に合わせて選択的に外部へ露出させている点である。
【００３５】
また、この本体４０には、ステージ面４１を一面側に設けているとともに、このステージ面４１には、プラグ部１３と連結部１４のいずれかを露出させる開口部４２Ａを有するカバー部材４２を設けている。
【００３６】
ステージ面４１には、図１２（Ｂ）に示すように、後述する回転部材５１の回転動作に伴って連結部１４が回動する際に、後述する第２接触子５３の剛球５３Ａが転動する軌跡に沿って円弧状の溝４１Ａ、４１Ｂを設けている。
【００３７】
一方、カバー部材４２は、雄端子１３Ａ及びＡＣ連結端子１４Ａのいずれか使用しない方の端子が露出しないようになっており、ステージ面４１から立ち上がった基部４２Ｂと、この基部４２Ｂからステージ面４１に沿って平行に伸びる庇部４２Ｃとを備えた断面略Ｌ字型に形成されている。なお、庇部４２Ｃには、前述した開口部４２Ａが形成されている。
【００３８】
切換え機構５は、回転部材５１と、第１接触子５２と、第２接触子５３と、電極板５４とを備えている。
【００３９】
回転部材５１は、プラグ部１３及び連結部１４が搭載されており、回転軸５１Ａを中心にして本体４０のステージ面４１に沿って平行に回動可能となっている。また、この回転部材５１には、回転部材５１を回動操作するためのレバー５１Ｂを設けている。この回転部材５１は、図１２に示す定位置（第１位置）まで回動移動させると、プラグ部１３がステージ面４１に露出して雄端子１３Ａが起立可能になり、プラグ部１３の使用が可能になる。一方、この回転部材５１は、第１位置から１８０度位相がずれた第２位置まで回転させると、ステージ面４１上に連結部１４が露出して使用可能になる。
【００４０】
さらに、回転部材５１には、図１２（Ｂ）に示すように、回転部材５１に設けたブラケット１３Ｅの回動軸１３Ｆを介して雄端子１３Ａが回動可能に取り付けられており、回転部材５１の表面に対して横臥したり起立できるようになっている。また、この回転部材５１には、横臥した雄端子１３Ａが起立する際に基端部が回転部材５１を突き抜けてステージ面４１に達する（ステージ面４１に対向する）ようにするため、回動孔５１Ｃが穿設されている。なお、この回転部材５１は、適宜の絶縁材料で形成されている。
【００４１】
第１接触子５２は、回転部材５１を定位置（第１位置）まで回動移動させてプラグ部１３をステージ面４１に露出させて雄端子１３Ａを起立させたときに、この雄端子１３Ａの下部に設けた接触溝１３Ｄと電気的に接触し、電源部１１と導通するとともにプラグ部１３が固定ロックされるようになっている。
【００４２】
この第１接触子５２は、本体４０内部においてステージ面４１に臨んで設けたスライド室４０Ａに引張ばね５２Ａを介してスライド可能な状態で収納されており、引張ばね５２Ａの付勢する弾性力によって先端部がスライド室４０Ａからステージ面上に突出するように構成されている。なお、この第１接触子５２は、専用配線Ｌ４を介して電源部１１と接続されている。
【００４３】
第２接触子５３は、第１接触子５１での定位置とは１８０度位相のずれた定位置（第２位置）まで回転部材５１が回動移動させて連結部１４をステージ面４１上に露出させたときに、連結部１４を固定ロックさせるとともに、電源部１１と電気的に導通するようになっている。このため、この第２接触子５３は、ＡＣ連結端子１４Ａの下部に設けたスライド室１４Ｄにばね１４Ｅを介してスライド可能に設けられており、ばね１４Ｅによる弾性力で円弧状の溝４１Ａに設けた電極板５４の孔に入り込むように構成されている。
【００４４】
次に、この実施形態のＡＣアダプタ装置の使用方法について説明する。
（ａ）ＡＣコンセント方式での使用：
図１２に示すように、回転部材４２の開口部４２Ａ直下のステージ面４１の中央にプラグ部１３を移動させたところで、雄端子１３Ａを起立させる。すると、雄端子１３Ａの接触溝１３Ｄと第１接触子５２とが接触・導通するので、固定ロック状態になるとともに電源部１１と電気的に導通する。
従って、本体４０から突出するプラグ部１３の雄端子１３Ａをコンセントに差し込めば、電源部１１を介して商用電源Ａを電気機器本体と接続させることができるようになる。なお、連結部１４は、図１２に示すように、電極板５４と接触していないので、電源部１１との間の接続が切れている。
【００４５】
（ｂ）ＡＣ直結方式での使用：
この場合には、初めに、図１３において雄端子１３Ａを折り畳んで回転部材５１の表面に横臥させた（図１４（Ｂ）参照）のち、図１５（Ｂ）に示すように、回転部材５１のレバー５１Ｂを反時計方向（又は時計方向）に１８０度回動させる。すると、図１５（Ａ）に示すように、連結部１４がステージ面４１上に露出してくるとともに、プラグ部１３がステージ面４１から退出する。
【００４６】
これにより、ＡＣ連結端子１４Ａの下部に設けた第２接触子５３が、円弧状の溝４１Ｂに設けた電極板５４の孔に入り込み、ＡＣ連結端子１４Ａが固定されるとともに、電気的に電源部１１と接続される。なお、プラグ部１３は、電源部１１との接続が切れる。
【００４７】
従って、本体４０から突出する連結部１４のＡＣ連結端子１４Ａに室内配線Ｌ１の端部を差し込めば、電源部１１を介して商用電源Ａと電気機器本体とを接続できるようになる。
【００４８】
［第５の実施形態］
次に、この発明の第５の実施形態について図１６及び図１７を参照しながら説明する。なお、この実施形態において、第１の実施形態〜第４の実施形態と同一部分には、同一符号を付して重複説明を避ける。
この実施形態では、図１６に示すように、ＡＣアダプタ装置１がＴＶドアホン装置の室内側の電気機器６のアダプタとして用いられており、室内側の電気機器６の本体６０を壁面Ｗに壁掛け金具６１で取り付けるようになっている。
【００４９】
次に、このＡＣアダプタ装置１及びＴＶドアホン装置の室内側電気機器６の本体６０の取付方法について説明する。
なお、この実施形態では、ＡＣアダプタ装置１が電気機器６の本体６０とは別体に設けているとともに、専用配線Ｌ２でＡＣアダプタ装置１と電気機器６の本体６０とが電気的に接続されている。
【００５０】
（１）初めに、同図（Ａ）に示すように、壁Ｗの開口された穴Ｈから室内配線Ｌ１を室内に引き出してきて、ＡＣアダプタ装置１の接続部１２（又は連結部１４）に接続させる。なお、この接続方法については、第１の実施形態（又は第２の実施形態）で説明した（ｂ）ＡＣ直結方式での使用方法に沿って行う。即ち、蓋部材１２Ｃを本体１０から取り外し、露出させた接続部１２（又は連結部１４）に室内配線Ｌ１を接続させるとともに、接続後に再び蓋部材１２Ｃを本体１０に取り付ける。
【００５１】
（２）次に、同図（Ｂ）に示すように、取り付ける壁面Ｗに壁掛け金具６１を固定し、これにＡＣアダプタ装置１を壁Ｗの内側で取り付ける。
【００５２】
（３）最後に、壁掛け金具６１のフック部６１Ａに電気機器６の本体６０を係止させる。
【００５３】
なお、この実施形態では、ＡＣアダプタ装置１がＴＶドアホン装置の室内側電気機器６の本体６０とは別体に設けている構成であるが、これ以外に、例えば図１７に示すように、ＴＶドアホン装置の室内側電気機器６の本体６０の裏面６０Ａに固定させたタイプにも、このＡＣアダプタ装置１が同様に用いることができる。
【００５４】
即ち、このタイプでも、初めに、第１の実施形態（又は第２の実施形態）で説明した（ｂ）ＡＣ直結方式での使用方法に沿って室内配線Ｌ１を接続部１２（又は連結部１４）に接続させる。即ち、蓋部材１２Ｃを本体１０から取り外し、露出させた接続部１２（又は連結部１４）に室内配線Ｌ１を接続させるとともに、その接続後に再び蓋部材１２Ｃを本体１０に取り付ける。
【００５５】
その後、ＴＶドアホン装置の室内側電気機器６の本体６０ごと壁面Ｗ側の壁掛け金具６１に固定すればよい。
【００５６】
また、図１８に示すように、ＡＣアダプタ装置がＴＶドアホン装置の室内側電気機器６の本体６０に内蔵されている構成のものでは、前述した第１の実施形態又は第２の実施形態のような構成のＡＣアダプタ装置１でも可能であるが、第３の実施形態（又は第４の実施形態）のような切換え機構３（又は切換え機構５）を備えたＡＣアダプタ装置２（又はＡＣアダプタ装置４）のものが好ましい。
【００５７】
このようなＡＣアダプタ装置２（又はＡＣアダプタ装置４）によれば、切換え機構３（又は切換え機構５）を操作して、連結部１４を本体２０（又は本体４０）の外部に露出させれば、電気機器６の本体６０の裏面６０Ａ側の外部から接続させることができる。これにより、蓋部材１２Ｃを取り外す必要がないので、第１、第２の実施形態のＡＣアダプタ装置１よりも接続作業が容易である。
【００５８】
【発明の効果】
以上説明してきたように、この発明によれば、商用電源からのＡＣ線の先端をねじに巻き付けて機械的に止め付けるとともに電源部と電気的に接続するＡＣねじ端子を設けた接続部と、商用電源からのＡＣ線の先端と接続されたコンセントの雌端子に接触させて電源部と電気的に導通する雄端子を本体内部に折畳み可能に突設するプラグ部とを有するので、１種類のもので、ＡＣ直結方式とＡＣコンセント方式の双方に対応することができるようになり、２種類のものを使用する電気機器の種類に合わせて使い分けることが必要なく、製造コストに削減も図ることができる。
【図面の簡単な説明】
【図１】この発明の第１の実施形態に係る電気的接続を示す配線図である。
【図２】第１の実施形態に係るＡＣアダプタ装置をＡＣコンセント方式で使用する場合の状態を示すものであり、（Ａ）は側面図、（Ｂ）は平面図である。
【図３】第１の実施形態に係るＡＣアダプタ装置において蓋部材を取り外した状態を示すものであり、（Ａ）は側面図、（Ｂ）は平面図である。
【図４】第１の実施形態に係るＡＣアダプタ装置においてＡＣコンセント方式からＡＣ直結方式へ変更するためにプラグ部を折畳んでいく状態を示すものであり、（Ａ）は側面図、（Ｂ）は平面図である。
【図５】第１の実施形態に係るＡＣアダプタ装置においてＡＣ直結方式で使用する場合の状態を示すものであり、（Ａ）は側面図、（Ｂ）は平面図である。
【図６】この発明の第２の実施形態に係るＡＣアダプタ装置において蓋部材を取り外した状態を示すものであり、（Ａ）は側面図、（Ｂ）は平面図である。
【図７】第２の実施形態に係るＡＣアダプタ装置においてＡＣコンセント方式からＡＣ直結方式へ変更するためにプラグ部を折畳んでいく状態を示すものであり、（Ａ）は側面図、（Ｂ）は平面図である。
【図８】第２の実施形態に係るＡＣアダプタ装置においてＡＣ直結方式で使用するために蓋部材を再び取付け直した状態を示すものであり、（Ａ）は側面図、（Ｂ）は平面図である。
【図９】この発明の第３の実施形態に係るＡＣアダプタ装置を示す構成図である。
【図１０】第３の実施形態に係るＡＣアダプタ装置をＡＣコンセント方式で使用する場合の状態を示すものであり、（Ａ）は側面図、（Ｂ）は平面図である。
【図１１】第３の実施形態に係るＡＣアダプタ装置をＡＣ直結方式で使用する場合の状態を示すものであり、（Ａ）は側面図、（Ｂ）は平面図である。
【図１２】この発明の第４の実施形態に係るＡＣアダプタ装置を示すものであり、（Ａ）は縦断面図、（Ｂ）は同図（Ａ）におけるＢ−Ｂ線断面図である。
【図１３】第４の実施形態に係るＡＣアダプタ装置をＡＣコンセント方式で使用する場合の状態を示すものであり、（Ａ）は側面図、（Ｂ）は平面図である。
【図１４】第４の実施形態に係るＡＣアダプタ装置においてＡＣコンセント方式からＡＣ直結方式へ変更するためにプラグ部を折畳んでいく状態を示すものであり、（Ａ）は側面図、（Ｂ）は平面図である。
【図１５】第４の実施形態に係るＡＣアダプタ装置においてＡＣ直結方式からＡＣコンセント方式へ変更するために回転部材を回転していく状態を示すものであり、（Ａ）は側面図、（Ｂ）は平面図である。
【図１６】（Ａ）はＴＶドアホン装置の室内側の電気機器のアダプタとして適用されたＡＣアダプタ装置をＡＣ線に接続するときの状態を示す説明図、（Ｂ）はその後にＴＶドアホン装置の室内側の電気機器を壁面に取り付ける状態を示す説明図である。
【図１７】ＴＶドアホン装置の室内側の電気機器のアダプタとして適用されたＡＣアダプタ装置の他の態様を示す説明図である。
【図１８】ＴＶドアホン装置の室内側の電気機器のアダプタとして適用されたＡＣアダプタ装置のさらに別の態様を示す説明図である。
【符号の説明】
１      ＡＣアダプタ装置
１０    本体
１１    電源部
１２    接続部
１２Ｂ  ＡＣねじ端子
１２Ｃ  蓋部材
１３    プラグ部
１３Ａ  雄端子
１３Ｂ  長孔
１３Ｄ  接触溝
１４    連結部
１４Ａ  ＡＣ連結端子
１４Ｂ  長孔
１４Ｅ  ばね
２      ＡＣアダプタ装置
２０    本体
２０Ａ  収納室
２０Ｂ  収納室
３      切換え機構
３１    操作部
３１Ａ  レバー
３２    アーム部材
３２Ａ  回動軸
３２Ｂ  係合ピン
３２Ｃ  係合ピン
３２Ｄ  スライド溝
３４    接触子
４      ＡＣアダプタ装置
４０    本体
４０Ａ  スライド室
４１    ステージ面
４１Ａ  円弧状の溝
４１Ｂ  円弧状の溝
４２    カバー部材
４２Ａ  開口部
４２Ｃ  庇部
５      切換え機構
５１    回転部材
５１Ｃ  回動孔
５２    第１接触子
５２Ａ  引張ばね
５３    第２接触子
５４    電極板
６      電気機器（ＴＶドアホン装置の室内側）
６０    本体
６１    壁掛け金具
Ｌ１    ＡＣ線（室内配線）
Ｌ２    専用配線
Ｌ３    専用配線（室内配線）
Ｌ４    専用配線（室内配線）
Ｗ      壁面
【図１】
0003977106.tif 000002
【図２】
0003977106.tif 000003
【図３】
0003977106.tif 000004
【図４】
0003977106.tif 000005
【図５】
0003977106.tif 000006
【図６】
0003977106.tif 000007
【図７】
0003977106.tif 000008
【図８】
0003977106.tif 000009
【図９】
0003977106.tif 000010
【図１０】
0003977106.tif 000011
【図１１】
0003977106.tif 000012
【図１２】
0003977106.tif 000013
【図１３】
0003977106.tif 000014
【図１４】
0003977106.tif 000015
【図１５】
0003977106.tif 000016
【図１６】
0003977106.tif 000017
【図１７】
0003977106.tif 000018
【図１８】
0003977106.tif 000019